(57)【要約】【課題】  メッセージ通信に際して、簡易に利用者の利便性を向上させる。【解決手段】  まず、第１通信端末装置１０Ａが、自身の第１加入者番号を送信元とし、第２通信端末装置１０Ｂの加入者番号を受信先としたメッセージを送信する。メッセージを受信した第１通信網４０Ａでは、受信先の加入者番号を解析し、第２通信端末装置１０Ｂが第２通信網４０Ｂに接続されていことを導出する。引き続き、第１加入者番号、第２加入者番号及びメッセージデータをパケットデータとしたパケットが組み立てられる。このパケットにおいては、送信元アドレスとして第１通信網４０Ａに関連する特定のＩＰアドレスが指定され、受信先アドレスとして第２通信網４０Ｂに関連する特定のＩＰアドレスが受信先アドレスに指定される。このパケットを受信した第２通信網４０Ｂでは、メッセージが再生され、第２通信端末装置１０Ｂへ向けて送信される。【選択図】  図６
2005210281.tif 000002
【特許請求の範囲】
【請求項１】
第１メッセージサーバを有する第１通信網に接続された第１通信端末装置と、第２メッセージサーバを有する第２通信網に接続された第２通信端末装置との間でメッセージ通信を行うメッセージ通信方法であって、
前記第１通信端末装置が、自身の前記第１通信網における第１加入者番号を送信元とし、前記第２移動通信ネットワークにおける前記第２通信端末装置の加入者番号を受信先とするとともに、メッセージデータを内容とするメッセージを送信するメッセージ送信工程と；
前記第１メッセージサーバが、前記第２通信端末装置の加入者番号を解析し、前記第２通信端末装置が前記第２通信網に接続されていることを導出する相手先網解析工程と；
前記第１メッセージサーバが、前記第１通信網の特定のインターネットプロトコルアドレスである第１インターネットプロトコルアドレスを送信元アドレスに指定し、前記相手先網解析工程において導出された前記第２通信網における特定のインターネットプロトコルアドレスである第２インターネットプロトコルアドレスを受信先アドレスに指定するとともに、前記第１加入者番号、前記第２加入者番号及び前記メッセージデータをパケットデータとしたパケットを組み立てるパケット組立工程と；
前記第１メッセージサーバが、前記組み立てられたパケットを、インターネットプロトコル網を介して前記第２メッセージサーバへ送信するパケット送信工程と；
前記第２メッセージサーバが、前記パケットを受信するパケット受信工程と；
前記第２メッセージサーバが、前記受信したパケットに基づいて前記メッセージを再生するメッセージ再生工程と；
前記第２メッセージサーバが、前記再生されたメッセージを前記第２通信端末装置へ向けて送信する再生メッセージ送信工程と；を備えるメッセージ通信方法。
【請求項２】
第１メッセージサーバを有する第１通信網に接続された第１通信端末装置と、第２メッセージサーバを有する第２通信網に接続された第２通信端末装置との間でメッセージ通信を行うメッセージ通信システムであって、
前記第１メッセージサーバ及び前記第２メッセージサーバが接続されたインターネットプロトコル網を備え、
前記第１メッセージサーバが、
前記第１通信端末装置から送信され、前記第１通信端末装置の前記第１通信網における第１加入者番号を送信元とし、前記第２移動通信ネットワークにおける前記第２通信端末装置の加入者番号を受信先とするとともに、メッセージデータを内容とするメッセージを受信するメッセージ受信手段と；
前記第２通信端末装置の加入者番号を解析し、前記第２通信端末装置が前記第２通信網に接続されていることを導出する相手先網解析手段と；
前記第１通信網の特定のインターネットプロトコルアドレスである第１インターネットプロトコルアドレスを送信元アドレスに指定し、前記相手先網解析手段により導出された前記第２通信網における特定のインターネットプロトコルアドレスである第２インターネットプロトコルアドレスを受信先アドレスに指定するとともに、前記第１加入者番号、前記第２加入者番号及び前記メッセージデータをパケットデータとしたパケットを組み立てるパケット組立手段と；
前記インターネットプロトコル網を介して、前記パケットを前記第２メッセージサーバへ送信するパケット送信手段と；を備え、
前記第２メッセージサーバが、
前記パケットを受信するパケット受信手段と；
前記パケットに基づいて前記メッセージを再生するメッセージ再生手段と；
前記再生されたメッセージを前記第２通信端末装置へ向けて送信する再生メッセージ送信手段と；を備えるメッセージ通信システム。
【請求項３】
前記第１通信網は移動通信網であり、前記第１通信端末装置は移動通信端末装置である、ことを特徴とする請求項２に記載のメッセージ通信システム。
【請求項４】
前記第２通信網は移動通信網であり、前記第２通信端末装置は移動通信端末装置である、ことを特徴とする請求項２又は３に記載のメッセージ通信システム。
【発明の詳細な説明】
【技術分野】
【０００１】
本発明は、メッセージ通信方法及びメッセージ通信システムに係り、より詳しくは、互いに異なる通信網に接続された通信端末装置間でメッセージ通信を行うメッセージ通信方法及びメッセージ通信システムに関するものである。
【背景技術】
【０００２】
従来から、携帯電話を代表とする移動通信端末装置等の通信端末装置が広く普及している。こうした通信端末装置においては、音声通話機能に加えて、メール機能（メール文の作成、メールの送受信、受信メール文の表示等）が提供されることが一般的となっている。
【０００３】
こうしたメールによるメッセージ通信を行う場合、一般には、受信先（着信先）アドレス識別子として相手方のメールアドレス（すなわち、インターネットプロトコルアドレス（以下、「ＩＰアドレス」とも記す）を指定して、メッセージを送信するようになっている（以下、「従来例１」という）。これに対して、例えば携帯電話のショートメッセージ通信においては、同一の事業者の携帯電話網サービスに加入している携帯電話同士であれば、受信先アドレス識別子として相手方の加入者番号を指定して、メッセージを発信することが可能となっている。
【０００４】
こうした背景の下、通信網に加入者番号とＩＰアドレスとのマッピングテーブルを用意し、互いに異なる事業者の通信網に接続された通信網に接続された通信端末装置同士の通信の開始に際して、相手方の加入者番号を指定する技術が提案されている（特許文献１参照：以下、「従来例２」という）。また、メッセージ通信に関する技術ではないが、いわゆるインターネット電話の実現に際して、通信端末装置側に加入者番号とＩＰアドレスとのマッピングテーブルを用意する技術も提案されている（特許文献２参照以下、「従来例３」という）。
【特許文献１】特開平１０−１３６０２４号公報
【特許文献２】特開平２０００−１５２２４９号公報
【発明の開示】
【発明が解決しようとする課題】
【０００５】
上述のように、従来例１によるメッセージ通信では、送信（発信）側及び受信側の双方の通信端末装置が同一の事業者の通信網に加入している特定の場合を除いて、送信側で、受信側の通信端末装置のＩＰアドレスを指定することが必要であった。この結果、送信側の通信端末装置と着信側の通信端末装置とが互いに異なる事業者の通信網に加入している場合には、メッセージの送信に際して、必ず、送信側で、受信側の通信端末装置のＩＰアドレスを指定することが必要であった。
【０００６】
ところで、例えば携帯電話のように通話機能とメッセージ通信機能（メール機能）との双方の機能を有する通信端末装置は、通話の際には加入者番号によって通信先を特定している。こうした通信端末装置の利用者にとっては、相手方の通信端末装置のＩＰアドレスよりも加入者番号の方が、なじみが深い。
【０００７】
しかしながら、送信側の通信端末装置と受信側の通信端末装置とが互いに異なる事業者の通信網に加入している場合には、受信側の通信端末装置の加入者番号により受信先を指定してメッセージを発信することができない。これは、メッセージ通信においては、音声通信の回線交換方式と異なり、そのプロトコルが事業者間で一般に異なるためである。この結果、メッセージ通信においては、交換機同士を音声通信用の接続回線を用いて音声通信と同様に送受信することが不可能となっている。したがって、送信側の通信端末装置と受信側の通信端末装置とが互いに異なる事業者の通信網に加入している場合には、送信側の通信端末装置の利用者は、なじみの薄いＩＰアドレスを指定して、メッセージを受信側の通信端末装置へ向けて発信しなければならなかった。
【０００８】
また、従来例２によるメッセージ通信では、加入者番号とＩＰアドレスとのマッピングテーブルが膨大なものとなる。このため、受信先として加入者番号を指定したメッセージ通信を簡易な構成で行うことができるとは言い難かった。
【０００９】
また、従来例３の技術をメッセージ通信に適用する場合には、通信端末装置に加入者番号とＩＰアドレスとのマッピングテーブルを搭載することが必要になるため、通信端末装置の構成が簡易とはいえないものとなってしまう。このため、受信先として加入者番号を指定したメッセージ通信を簡易な構成で行うことができるとは言い難かった。
【００１０】
本発明は、上記の事情を鑑みてなされたものであり、メッセージ通信に際して、簡易に利用者の利便性を向上させることができるメッセージ通信方法及びメッセージ通信システムを提供することを目的とする。
【課題を解決するための手段】
【００１１】
本発明のメッセージ通信方法は、第１メッセージサーバを有する第１通信網に接続された第１通信端末装置と、第２メッセージサーバを有する第２通信網に接続された第２通信端末装置との間でメッセージ通信を行うメッセージ通信方法であって、前記第１通信端末装置が、自身の前記第１通信網における第１加入者番号を送信元とし、前記第２移動通信ネットワークにおける前記第２通信端末装置の加入者番号を受信先とするとともに、メッセージデータを内容とするメッセージを送信するメッセージ送信工程と；前記第１メッセージサーバが、前記第２通信端末装置の加入者番号を解析し、前記第２通信端末装置が前記第２通信網に接続されていることを導出する相手先網解析工程と；前記第１メッセージサーバが、前記第１通信網の特定のインターネットプロトコルアドレスである第１インターネットプロトコルアドレスを送信元アドレスに指定し、前記相手先網解析工程において導出された前記第２通信網における特定のインターネットプロトコルアドレスである第２インターネットプロトコルアドレスを受信先アドレスに指定するとともに、前記第１加入者番号、前記第２加入者番号及び前記メッセージデータをパケットデータとしたパケットを組み立てるパケット組立工程と；前記第１メッセージサーバが、前記組み立てられたパケットを、インターネットプロトコル網を介して前記第２メッセージサーバへ送信するパケット送信工程と；前記第２メッセージサーバが、前記パケットを受信するパケット受信工程と；前記第２メッセージサーバが、前記受信したパケットに基づいて前記メッセージを再生するメッセージ再生工程と；前記第２メッセージサーバが、前記再生されたメッセージを前記第２通信端末装置へ向けて送信する再生メッセージ送信工程と；を備えるメッセージ通信方法である。
【００１２】
このメッセージ通信方法では、まず、メッセージ送信工程において、第１通信端末装置が、自身の第１通信網における第１加入者番号を送信元とし、第２移動通信ネットワークにおける第２通信端末装置の加入者番号を受信先とするとともに、メッセージデータを内容とするメッセージを送信する。すなわち、一般の通話の場合と同様の態様で受信先を指定する。このメッセージを受信した第１メッセージサーバは、相手先網解析工程において、第２通信端末装置の加入者番号を解析し、第２通信端末装置が第２通信網に接続されていることを導出する。
【００１３】
引き続き、パケット組立工程において、第１メッセージサーバが、第１加入者番号、第２加入者番号及びメッセージデータをパケットデータとしたパケットを組み立てる。このパケットにおいては、送信元アドレスとして、第１通信網の特定のインターネットプロトコルアドレスである第１インターネットプロトコルアドレスが指定される。また、相手先網解析工程において導出された前記第２通信網における特定のインターネットプロトコルアドレスである第２インターネットプロトコルアドレスを受信先アドレスが指定される。そして、パケット送信工程において、第１メッセージサーバが、インターネットプロトコル網を介して、組み立てられたパケットを第２メッセージサーバへ送信する。
【００１４】
こうして第１メッセージサーバから送信されたパケットは、パケット受信工程において、第２メッセージサーバにより受信される。引き続き、メッセージ再生工程において、第２メッセージサーバが、受信したパケット中のパケットデータの内容に基づいて、上述したメッセージ、すなわち、第１通信網における第１加入者番号を送信元とし、第２移動通信網における第２加入者番号を受信先とするとともに、メッセージデータを内容とするメッセージを再生する。そして、再生メッセージ送信工程において、第２メッセージサーバが、再生されたメッセージを、受信先である前記第２通信端末装置へ向けて送信する。
【００１５】
以上のようにして、本発明のメッセージ通信方法では、第１通信網に接続された第１通信端末装置から、第１通信網とは異なる第２通信網に接続された第２通信端末装置に対して、受信先として第２通信端末装置の第２加入者番号を指定して、メッセージが送信されて、第２通信端末装置によって当該メッセージが受信される。この際に加入者番号とＩＰアドレスとのマッピングテーブルを必要としない。したがって、簡易に本発明のメッセージ通信方法によれば、メッセージ通信に際して、利用者の利便性を向上させることができる。
【００１６】
本発明のメッセージ通信システムは、第１メッセージサーバを有する第１通信網に接続された第１通信端末装置と、第２メッセージサーバを有する第２通信網に接続された第２通信端末装置との間でメッセージ通信を行うメッセージ通信システムであって、前記第１メッセージサーバ及び前記第２メッセージサーバが接続されたインターネットプロトコル網を備え、前記第１メッセージサーバが、前記第１通信端末装置から送信され、前記第１通信端末装置の前記第１通信網における第１加入者番号を送信元とし、前記第２移動通信ネットワークにおける前記第２通信端末装置の加入者番号を受信先とするとともに、メッセージデータを内容とするメッセージを受信するメッセージ受信手段と；前記第２通信端末装置の加入者番号を解析し、前記第２通信端末装置が前記第２通信網に接続されていることを導出する相手先網解析手段と；前記第１通信網の特定のインターネットプロトコルアドレスである第１インターネットプロトコルアドレスを送信元アドレスに指定し、前記相手先網調査工程において導出された前記第２通信網における特定のインターネットプロトコルアドレスである第２インターネットプロトコルアドレスを受信先アドレスに指定するとともに、前記第１加入者番号、前記第２加入者番号及び前記メッセージデータをパケットデータとしたパケットを組み立てるパケット組立手段と；前記インターネットプロトコル網を介して、前記パケットを前記第２メッセージサーバへ送信するパケット送信手段と；を備え、前記第２メッセージサーバが、前記パケットを受信するパケット受信手段と；前記パケットに基づいて前記メッセージを再生するメッセージ再生手段と；前記再生されたメッセージを前記第２通信端末装置へ向けて送信する再生メッセージ送信手段と；を備えるメッセージ通信システムである。
【００１７】
このメッセージ通信システムでは、まず、第１通信端末装置が、自身の第１通信網における第１加入者番号を送信元とし、第２移動通信ネットワークにおける第２通信端末装置の加入者番号を受信先とするとともに、メッセージデータを内容とするメッセージを送信する。このメッセージを受信した第１メッセージサーバでは、相手先網解析手段が、第２通信端末装置の加入者番号を解析し、第２通信端末装置が第２通信網に接続されていることを導出する。
【００１８】
引き続き、第１メッセージサーバのパケット組立手段が、第１加入者番号、第２加入者番号及びメッセージデータをパケットデータとしたパケットを組み立てる。このパケットの組立に際して、パケット組立手段は、送信元アドレスとして、第１通信網の特定のインターネットプロトコルアドレスである第１インターネットプロトコルアドレスを指定する。また、パケット組立手段は、相手先網解析手段により導出された前記第２通信網における特定のインターネットプロトコルアドレスである第２インターネットプロトコルアドレスを受信先アドレスに指定する。そして、第１メッセージサーバのパケット送信手段が、インターネットプロトコル網を介して、組み立てられたパケットを第２メッセージサーバへ送信する。
【００１９】
こうして第１メッセージサーバから送信されたパケットは、第２メッセージサーバのパケット受信手段により受信される。引き続き、第２メッセージサーバのメッセージ再生手段が、受信したパケット中のパケットデータの内容に基づいて、上述したメッセージを再生する。そして、第２メッセージサーバの再生メッセージ送信手段が、再生されたメッセージを、受信先である第２通信端末装置へ向けて送信する。
【００２０】
すなわち、本発明のメッセージ通信システムでは、上述した本発明のメッセージ通信方法を使用して、メッセージ通信を行う。したがって、本発明のメッセージ通信システムによれば、メッセージ通信に際して、簡易に利用者の利便性を向上させることができる。
【００２１】
本発明のメッセージ通信システムでは、前記第１通信網を移動通信網とし、前記第１通信端末装置を移動通信端末装置とすることができる。また、本発明のメッセージ通信システムでは、前記第２通信網を移動通信網とし、前記第２通信端末装置を移動通信端末装置とすることができる。こうした場合には、移動通信の利用者の利便性を向上させることができる。
【発明の効果】
【００２２】
以上説明したように、本発明のメッセージ通信方法によれば、メッセージ通信に際して、利用者の利便性を向上させることができるという効果を奏する。
【００２３】
また、本発明のメッセージ通信システムによれば、メッセージ通信に際して、利用者の利便性を向上させることができるという効果を奏する。
【発明を実施するための最良の形態】
【００２４】
以下、本発明の一実施形態を、図１〜図７を参照しつつ説明する。
【００２５】
図１には、本発明の一実施形態に係るメッセージ通信システム１００の構成が概略的にブロック図にて示されている。図１に示されるように、このメッセージ通信システム１００は、（ａ）移動通信端末装置である携帯電話１０Ａ，１０Ｂと、（ｂ）携帯電話１０Ａが接続される携帯電話網４０Ａと、（ｃ）携帯電話１０Ｂが接続される携帯電話網４０Ｂと、（ｄ）携帯電話網４０Ａ（より詳しくは、後述するメッセージサーバ４３Ａ）と携帯電話４０Ｂ（より詳しくは、後述するメッセージサーバ４３Ｂ）とが接続されているインターネットプロトコル網（以下、「ＩＰ網」という）７０とを備えている。ここで、携帯電話網４０Ａに接続される携帯電話の数及び携帯電話網４０Ｂに接続される携帯電話の数は一般に多数であるが、図１では、携帯電話１０Ａ及び携帯電話１０Ｂが代表的に示されている。また、携帯電話等の通信端末装置が接続され、かつ、ＩＰ網７０によって相互接続される通信網には、携帯電話網４０Ａ，４０Ｂ以外にもあってもよいが、図１では、携帯電話網４０Ａ及び携帯電話網４０Ｂが代表的に示されている。
【００２６】
携帯電話１０Ａは、図２に示されるように、（ａ）後述する制御部２１等（図３参照）を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６と、（ｆ）送受信部２２と接続され、基地局との間で無線信号を授受するためのアンテナ１７と、を備えている。
【００２７】
ここで、携帯電話本体１１は、図３に示されるように、その内部に、（ｉ）携帯電話１０Ａの全体の動作を統括制御する制御部２１と、（ii）リードオンリメモリ（ＲＯＭ）やランダムアクセスメモリ（ＲＡＭ）等に構成された記憶部２３と、（iii）基地局４２との間で通信を行うための送受信部２２とを備えている。なお、本実施形態では、制御部２１は、中央処理装置（ＣＰＵ）やデジタル信号処理装置（ＤＳＰ）等を有し、プログラムを実行する処理装置となっている。そして、制御部２１において各種プログラムを実行することにより、通話機能や、メイルによるメッセージ通信機能のような一般的な携帯電話機能を実現するために、様々なデータ処理を行うとともに、上述した他の構成要素の動作制御を行うようになっている。
【００２８】
なお、携帯電話１０Ｂは、上記の携帯電話１０Ａと同様に構成されている。
【００２９】
図１に戻り、携帯電話網４０Ａは、（ｉ）携帯電話１０Ａが無線リンクを確立する基地局４１Ａと、（ii）基地局４１Ａが接続される交換機４２Ａと、（iii）交換機４２Ａに接続されるとともに、上述のＩＰ網７０に接続されたメッセージサーバ４３Ａとを備えている。ここで、携帯電話網４０Ａが備える基地局の数は一般に多数であるが、図１では、基地局４１Ａが代表的に示されている。なお、携帯電話１０Ａは基地局４１Ａ以外の携帯電話網４０Ａの基地局とも無線リンクを確立し得るが、以下の説明においては、携帯電話１０Ａは基地局４１Ａと無線リンクを確立するものとする。
【００３０】
メッセージサーバ４３Ａは、図４に示されるように、（ｉ）メッセージサーバ４３の全体の動作を統括制御する制御処理装置５１と、（ii）各種プログラムや各種データを格納する記憶装置５２とを備える。また、メッセージサーバ４３Ａは、（iii）交換機４２Ａ及び基地局４１Ａを介して、携帯電話１０Ａとの間でメッセージの送受信を行うメッセージ送受信装置５３と、（iv）ＩＰ網を介して、携帯電話網４０Ｂとの間でパケットの送受信を行うＩＰ送受信装置５４とを備えている。
【００３１】
制御処理装置５１は、相手先アドレス解析部５６と、自網内メッセージ処理部５７と、他網間メッセージ処理部５８とを備えている。ここで、相手先アドレス解析部５６は、交換機４２Ａ及び基地局４１Ａを介して受信したメッセージにおける受信先を指定する加入者番号を解析する。そして、この解析の結果、受信先が自網（携帯電話網４０Ａ）に接続される通信端末装置であった場合には、相手先アドレス解析部５６は、当該受信したメッセージを自網内メッセージとして自網内メッセージ処理部５７へ送る。一方、解析の結果、受信先が他網（例えば、携帯電話網４０Ｂ）に接続される通信端末装置であった場合には、相手先アドレス解析部５６は、当該受信したメッセージを他網間メッセージとして他網間メッセージ処理部５８へ送る。なお、相手先アドレス解析部５６は、受信先の通信端末装置が接続される通信網の識別子である相手先通信網識別子を、他網間メッセージとともに、他網間メッセージ処理部５８へ送る。
【００３２】
自網内メッセージ処理部５７は、相手先アドレス解析部５６から受けた自網内メッセージを処理し、自網すなわち携帯電話網４０Ａに接続される着信先と指定された通信端末装置へ向けて、交換機４２Ａを介して送信する。
【００３３】
他網間メッセージ処理部５８は、図５に示されるように、ＩＰパケット組立部６１と、ＩＰパケット分解部６２とを備えている。ここで、ＩＰパケット組立部６１は、相手先アドレス解析部５６から受けた他網間メッセージ及び相手先通信網識別子に基づいて、網間メッセージパケットを組み立てる。そして、ＩＰパケット組立部６１は、組み立てられた網間メッセージパケットを、ＩＰ送受信装置５４及びＩＰ網７０を介して、受信先の通信端末装置が接続される通信網へ向けて送信する。なお、網間メッセージパケットの組立については、後述する。
【００３４】
また、ＩＰパケット分解部６２は、ＩＰ網７０及びＩＰ送受信装置５４を介して他網から受信した、網間メッセージパケットを分解して、網間メッセージパケットに含まれるメッセージを再生する。そして、ＩＰパケット分解部６２は、再生されたメッセージを、当該メッセージにおいて受信先に指定されている加入者番号を有する通信端末装置へ向けて、メッセージ送受信装置５３を介して送信する。なお、網間メッセージパケットの組立については、後述する。
【００３５】
なお、本実施形態では、メッセージサーバ４３Ａは計算機システムとして構成されており、上述した相手先アドレス解析部５６、自網内メッセージ処理部５７及び他網間メッセージ処理部５８は、制御処理装置５１で実行されるプログラムとされている。
【００３６】
図１に戻り、携帯電話網４０Ｂは、携帯電話網４０Ａと同様に構成されている。すなわち、携帯電話網４０Ｂは、（ｉ）携帯電話１０Ｂが無線リンクを確立する基地局４１Ｂと、（ii）基地局４１Ｂが接続される交換機４２Ｂと、（iii）交換機４２Ｂに接続されるとともに、上述のＩＰ網７０に接続されたメッセージサーバ４３Ｂとを備えている。そして、基地局４１Ｂは基地局４０Ａと同様に構成され、交換機４２Ｂは交換機４０Ａと同様に構成されるとともに、図４に示されるように、メッセージサーバ４３Ｂは、自網が携帯電話網４０Ｂであることを除いて、メッセージサーバ４０Ａと同様に構成されている。
【００３７】
次に、上記のように構成されたメッセージ通信システム１００におけるメッセージ通信の動作を、主に図６及び図７を参照しつつ説明する。なお、以下の説明においては、携帯電話１０Ａから携帯電話１０Ｂへのメッセージ通信について主に説明し、適宜それ以外の場合の動作に触れるものとする。
【００３８】
前提として、携帯電話１０Ａの携帯電話網４０Ａにおける加入者番号は「ＭＳＮＡ」であり、携帯電話１０Ｂの携帯電話網４０Ｂにおける加入者番号は「ＭＳＮＢ」であるものとする。また、携帯電話網４０Ａのメッセージサーバ４３Ａにおける他網間メッセージ通信用のＩＰアドレスは「ＩＰＡＡ」であり、携帯電話網４０Ｂのメッセージサーバ４３Ｂにおける他網間メッセージ通信用のＩＰアドレスは「ＩＰＡＢ」であるものとする。こうした加入者番号情報やＩＰアドレス情報は、メッセージサーバ４３Ａの記憶装置５２及びメッセージサーバ４３Ｂの記憶装置５２に格納されているものとする。
【００３９】
携帯電話１０Ａから携帯電話１０Ｂへのメッセージ通信では、図６に示されるように、まず、携帯電話１０ＡにおいてメッセージＭＳＧが作成される。このメッセージＭＳＧの作成に際しては、利用者が、携帯電話１０Ａの表示部１３における表示内容を参照しつつ、操作部１２を操作して、メッセージＭＳＧを作成する。このとき、利用者は、受信先識別子として、携帯電話１０Ｂの加入者番号「ＭＳＮＢ」を指定するとともに、伝達したいメッセージ内容を打ち込む。
【００４０】
この結果、図７（Ａ）に示されるような構成のメッセージＭＳＧが作成される。このメッセージＭＳＧは、図７（Ａ）に示されるように、メッセージヘッダ部ＭＳＧＨと、メッセージデータ部ＭＳＧＤとを有している。そして、メッセージヘッダ部ＭＳＧＨの受信先識別子位置には携帯電話１０Ｂの加入者番号「ＭＳＮＢ」が設定される。また、メッセージヘッダ部ＭＳＧＨの送信元識別子位置には携帯電話１０Ａの加入者番号「ＭＳＮＡ」が設定される。また、メッセージデータ部ＭＳＧＤには、メッセージ内容が設定される。なお、メッセージヘッダ部ＭＳＧＨの送信元識別子位置への携帯電話１０Ａの加入者番号「ＭＳＮＡ」の設定は、携帯電話１０Ａの制御部２１により自動的に行われる。
【００４１】
図６に戻り、メッセージＭＳＧが作成された後、携帯電話１０Ａの操作部１２のキー操作により、利用者によるメッセージ送信指令がなされると、携帯電話１０Ａから携帯電話網４０Ａへ向けてメッセージＭＳＧが送信される。このメッセージＭＳＧは、基地局４２Ａ及び交換機４２Ａを介して、メッセージサーバ４３Ａに到達する。
【００４２】
メッセージサーバ４３Ａでは、メッセージ送受信部５３を介して、相手先アドレス解析部５６がメッセージＭＳＧを受信する。相手先アドレス解析部５６では、メッセージＭＳＧのメッセージヘッダ部ＭＳＧにおける相手先すなわち受信先指定位置に設定された加入者番号「ＭＳＮＢ」が、自網すなわち携帯電話網４０Ａに接続された通信端末装置の加入者番号であるか否かを判定する。この判定が肯定的であった場合には、相手先アドレス解析部５６は、メッセージＭＳＧを自網内メッセージ処理部５７へ送る。そして、自網内メッセージ処理部５７は、メッセージ送受信部５３及び交換機４２Ａを介して、受信したメッセージＭＳＧを該当する加入者番号を有する通信端末装置へ向けて送信する。
【００４３】
一方、上記の相手先アドレス解析部５６における判定が否定的であった場合には、相手先アドレス解析部５６は、加入者番号「ＭＳＮＢ」がどの通信網に接続される通信端末装置であるかを解析する。そして、この解析の結果として得られた受信先の通信端末装置が接続される通信網の識別子である相手先通信網識別子を、メッセージＭＳＧとともに、他網間メッセージ処理部５８へ送る。
【００４４】
他網間メッセージ処理部５８では、ＩＰパケット組立部６１が、メッセージＭＳＧ及び相手先通信網識別子を受信し、ＩＰパケットＰＫＴを組み立てる。ＩＰパケット組立部６１により組み立てられるＩＰパケットＰＫＴは、図７（Ｂ）に示されるように、パケットヘッダ部ＰＫＴＨと、パケットデータ部ＰＫＴＤとを有している。そして、パケットヘッダ部ＰＫＴＨの受信先識別子位置には、携帯電話１０Ｂが接続される携帯電話網４０Ｂのメッセージサーバ４３Ｂにおける他網間メッセージ通信用のＩＰアドレスは「ＩＰＡＢ」が設定される。また、パケットヘッダ部ＰＫＴＨの送信元識別子位置には、メッセージサーバ４３Ａにおける他網間メッセージ通信用のＩＰアドレスは「ＩＰＡＡ」が設定される。また、パケットデータ部ＰＫＴＤには、メッセージＭＳＧ内の送信元加入者番号「ＭＳＮＡ」、受信先加入者番号「ＭＳＮＢ」及びメッセージ内容であるメッセージデータ部ＭＳＧＤが設定される。
【００４５】
図６に戻り、ＩＰパケットＰＫＴの組立が完了すると、ＩＰパケット組立部６１が、携帯電話網４０Ｂへ向けてパケットＰＫＴを送信する。このパケットは、ＩＰ網７０を介して、携帯電話網４０Ｂのメッセージサーバ４３Ｂに到達する。
【００４６】
メッセージサーバ４３Ｂでは、ＩＰパケット分解部６２がパケットＰＫＴを受信する。引き続き、ＩＰパケット分解部６２は、パケットＰＫＴにおけるパケットヘッダ部ＰＫＴの受信先識別子位置に「ＩＰＡＢ」が設定されていることから、パケットＰＫＴが他網から送信された他網間メッセージ通信用のパケットであることを認識する。次に、ＩＰパケット分解部６２は、パケットＰＫＴを分解して、パケットデータ部ＰＫＴＤから送信元加入者番号「ＭＳＮＡ」、受信先加入者番号「ＭＳＮＢ」及びメッセージ内容であるメッセージデータ部ＭＳＧＤと取り出して、携帯電話網１０Ｂにおいて定められている形式のメッセージとして、メッセージＭＳＧを再生する。そして、メッセージサーバ４３ＢのＩＰパケット分解部６２は、自網すなわち携帯電話網４０Ｂに接続される携帯電話１０Ｂへ向けて、メッセージ送受信装置５３、交換機４２Ｂ及び基地局４１Ｂを介して、再生されたメッセージＭＳＧを送信する。
【００４７】
携帯電話１０Ｂでは、メッセージＭＳＧを受信すると、表示部１３にメッセージを表示する。こうして、携帯電話網４０Ａに接続された携帯電話１０Ａから携帯電話網４０Ｂに接続された携帯電話１０ＢへメッセージＭＳＧが伝達される。
【００４８】
なお、携帯電話１０Ｂから携帯電話１０Ａへのメッセージの伝達も、上記の携帯電話１０Ａから携帯電話１０Ｂへのメッセージの伝達と同様に行われる。
【００４９】
以上説明したように、本実施形態では、携帯電話１０Ａが、自身の携帯電話網１０Ａにおける加入者番号「ＭＳＮＡ」を送信元とし、携帯電話網４０Ｂにおける携帯電話１０Ｂの加入者番号「ＭＳＮＢ」を受信先とするとともに、メッセージデータを内容とするメッセージを送信する。このメッセージを受信したメッセージサーバ４３Ａでは、相手先アドレス解析部５６が、加入者番号「ＭＳＮＢ」を解析し、携帯電話１０Ｂが携帯電話網４０Ｂに接続されていることを導出する。
【００５０】
引き続き、メッセージサーバのパケット組立部６１が、送信元加入者番号「ＭＳＮＡ」、受信先加入者番号「ＭＳＮＢ」及びメッセージデータ部ＭＳＧＤをパケットデータＰＫＴＤとしたパケットを組み立てる。このパケットの組立に際して、パケット組立部６１は、送信元アドレスとして、携帯電話網４０Ａの特定のインターネットプロトコルアドレス「ＩＰＡＡ」を指定する。また、パケット組立部６１は、相手先アドレス解析部５６により導出された携帯電話網４０Ｂにおける特定のインターネットプロトコルアドレス「ＩＰＡＢ」を受信先アドレスに指定する。そして、パケット組立部６１が、ＩＰ送受信部５４を用いて、ＩＰ網７０を介して、組み立てられたパケットＰＫＴをメッセージサーバ４３Ｂへ送信する。
【００５１】
こうしてメッセージサーバ４３Ａから送信されたパケットＰＫＴは、メッセージサーバ４３ＢのＩＰ送受信部５４を介して、パケット分解部６２により受信される。引き続き、メッセージサーバ４３Ｂのパケット分解部６２が、受信したパケットＰＫＴ中のパケットデータＰＫＴＤの内容に基づいて、メッセージＭＳＧを再生する。そして、メッセージサーバ４３Ｂが、再生されたメッセージＭＳＧを、受信先である携帯電話１０Ｂへ向けて送信する。
【００５２】
したがって、本実施形態によれば、メッセージ通信に際して、簡易に利用者の利便性を向上させることができる。
【００５３】
なお、上記の実施形態では、携帯電話同士の間におけるメッセージ通信について説明したが、通信端末同士の間におけるメッセージ通信であれば、本発明を適用することができる。
【産業上の利用可能性】
【００５４】
以上説明したように、本発明のメッセージ通信方法及びメッセージ通信システムは、互いに事業者が異なる通信網に接続された通信端末装置間におけるメッセージ通信に適用することができる。
【図面の簡単な説明】
【００５５】
【図１】本発明の一実施形態に係るメッセージ通信システムの構成を模式的に図面である。
【図２】図１の携帯電話の外観構成を概略的に示す図である。
【図３】図１の携帯電話の機能ブロック図である。
【図４】図１のメッセージサーバの機能ブロック図である。
【図５】図４の他網間メッセージ処理部の機能ブロック図である。
【図６】図１のシステムによるメッセージ通信動作を説明するためのシーケンス図である。
【図７】メッセージ及びパケットの構成を説明するための図である。
【符号の説明】
【００５６】
１０…携帯電話（移動通信端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶部、４０Ａ…携帯電話網（第１通信網）、４０Ｂ…携帯電話網（第２通信網）、４１Ａ，４１Ｂ…基地局、４２Ａ，４２Ｂ…交換機、４３Ａ…メッセージサーバ（第１メッセージサーバ）、４３Ｂ…メッセージサーバ（第２メッセージサーバ）、５１…制御処理装置、５２…記憶装置、５３…メッセージ送受信装置（メッセージ受信手段、再生メッセージ送信手段）、５４…ＩＰ送受信装置（パケット送信手段、パケット受信手段）、５６…相手先アドレス解析部（相手先網解析手段）、５７…自網内メッセージ処理部、５８…他網間メッセージ処理部、６１…パケット組立部（パケット組立手段）、６２…パケット分解部（メッセージ再生手段）、７０…ＩＰ網、ＭＳＧ…メッセージ、ＰＫＴ…パケット。
【図１】
2005210281.tif 000003
【図２】
2005210281.tif 000004
【図３】
2005210281.tif 000005
【図４】
2005210281.tif 000006
【図５】
2005210281.tif 000007
【図６】
2005210281.tif 000008
【図７】
2005210281.tif 000009